(57)【要約】【課題】断裁機を連結したままの状態で綴じ処理済みで折り処理不要な積層用紙を装置の前面側から取り出せるようにして作業効率及びスペース活用効率の向上をはかる。【解決手段】搬送路１２０  延長面に用紙保持路１６１  を配設して、折りストッパ１５６  により積層用紙の前側部分を用紙保持路１６１  に保持し後側部分を搬送路１２０  に保持して折り位置を決める。折りナイフ１６２  で積層用紙の折り位置部分を押し上げて折りローラ１６３  にくい込ませ、冊子状に折りたたんで折り用紙排出路１７０  経由で断裁機３００  へと排出する。折り不要の積層用紙は折り用紙排出路下方スペースに配設された用紙収容器に用紙保持路経由で排出する。このとき折りストッパを回動させてその排出路を確保する。【選択図】        図１
2005022842.tif 000002
【特許請求の範囲】
【請求項１】
積層された複数枚の用紙をその綴じ形態及び用紙サイズに応じて位置決めし綴じ処理を行い、この綴じ処理後に、折りが必要な綴じ形態の積層用紙に対してはその折り処理を行って冊子状とし、この冊子状の用紙を、その小口部分のずれを切り揃えるために断裁機へと引き渡す製本機であって、次の各構成を有することを特徴とする製本機。
（イ）  綴じ処理済みの積層用紙を次の処理機構へと搬送する搬送路
（ロ）  前記搬送路により搬送されてきて折り処理が必要な積層用紙を、その前側の部分は前記搬送路の延長面内に保持し、その後側の部分は前記搬送路内に留まるように、折りストッパに前記積層用紙の先端辺部分を当接させて保持し、前記積層用紙の折りたたみ位置を位置決めする折り位置決め機構
（ハ）  前記折り位置決め機構で位置決めされた積層用紙の折り位置に折りナイフを当ててこの折り位置の部分を、前記積層用紙面に対し垂直上方に押し上げて折りローラにくい込ませ、この積層用紙の折り処理を行って冊子状とする折り部
（ニ）  前記折り部で折り処理された冊子状の用紙を前記断裁機へと引き渡す折り用紙排出路
（ホ）  前記折り用紙排出路の下方でかつ前記折り部の断裁機寄りの下のスペースに用紙収容器を備えて成り、前記搬送路により搬送されてきて折り処理不要な積層用紙を、前記搬送路の延長面から前記用紙収容器へと排出し、この用紙収容器に排出された積層用紙が装置前面側から取り出せる構造である折り無し用紙排出収容器構
【請求項２】
前記折り無し用紙排出収容器構部分の前記断裁機側装置側面が、前記折り用紙排出路部分の前記断裁機側装置側面に対し同一面か装置内側寄りになるように配置された構造である請求項１記載の製本機。
【請求項３】
前記折り無し用紙排出収容器構が、前記搬送路の延長面部位に配設されて折り処理不要な積層用紙を用紙収容器へと排出する排出ローラと、
前記折り位置決め機構の折りストッパを、前記折り処理不要な積層用紙の前記用紙収容器への排出路から待避させる折りストッパ待避機構部と、
を含んで成る請求項１または請求項２に記載の製本機。
【請求項４】
前記折り位置決め機構の折りストッパが１つの軸のまわりに回動可能な構造であり、前記折り無し用紙排出収容器構の折りストッパ待避機構部が、カムを回転させることにより前記折りストッパを１つの軸のまわりに回動させてこの折りストッパを折り処理不要な積層用紙の用紙収容器への排出路から待避させる構造である請求項３記載の製本機。
【発明の詳細な説明】
【０００１】
【発明の属する技術分野】
本発明は製本機に関し、特に平綴じ、肩綴じ、及び中綴じが可能でかつ中綴じに対しては二つ折りも可能な製本機に属する。
【０００２】
【従来の技術】
平綴じ、肩綴じ、及び中綴じが可能でかつ中綴じに対し二つ折りも可能な製本機では、平綴じ、肩綴じのような折り処理が不要な用紙の束は、綴じ処理後、折り無し用紙搬送路を通過して用紙排出口から排出されるのに対し、中綴じのように二つ折りが必要な用紙の束は折曲部へと搬送され、冊子状に二つ折り処理されて用紙排出口から排出される。冊子状に二つ折りされると、重ね合わされた用紙間にずれが生じてその小口部分の切り揃えが必要となるので、その後処理装置として断裁機が連結されることが多い。
【０００３】
このような従来の製本機の、前処理装置である用紙供給装置として印刷機を、後処理装置として断裁機を配置した場合の配置側面図を図４に示す。
この製本機１００ｘは、印刷機２００ｘからの用紙を装置内に取り込む入紙口１１０ｘと、取り込まれた用紙を次の処理へと搬送する搬送路１２０ｘ（搬送ベルト１２１ｘで形成されている）と、この搬送路１２０ｘで搬送されてきた用紙をその先端辺部分で綴じストッパ１３２又は中綴じストッパ１３６に当接させて積層、綴じ位置決めする用紙積層位置決め部１３０ｘと、この用紙積層位置決め部１３０ｘで位置決めされた積層用紙に対し、この位置決めされた部位に綴じ処理を行うステッチャ部１４０ｘと、折り処理が不要な積層用紙に対しては、昇降モータ１９１により中綴じストッパユニット１３５（中綴じストッパ１３６及び位置決めモータ１３７を含む）を回動させて中綴じストッパ１３６を積層用紙の通路から待避させて積層用紙を折り無し用紙排出器１９２へと排出させる折り無し用紙排出部１９０と、折り処理が必要な積層用紙に対しては、折り無し用紙排出器１９２とは別に斜め下方へと延びる経路（折り用紙搬送路１２５）を通って、その延長方向の、折りストッパ１５６ｘを備えた折り位置決め部１５０ｘへと搬送され、折り位置決めする折り位置決め部１５０ｘと、この折り位置決め部１５０ｘで位置決めされた部位に対し折りナイフ１６２ｘを当接させてこの折りナイフ１６２ｘで積層用紙を折りローラ１６３ｘ方向に押し上げ、この積層用紙を折りローラ１６３ｘにくい込ませてこの積層用紙を折りたたみ冊子状とする折り部１６０ｘと、この冊子状の用紙を断裁機３００ｘへと排出する折り用紙排出路１７０ｘと、を有する構成、構造となっている。
【０００４】
この製本機１００ｘでは、綴じ処理された積層用紙のうち、平綴じ、肩綴じのように折り処理が不要なものは折り無し用紙排出器１９２へと排出され、中綴じのように折り処理が必要な積層用紙に対しては、これとは別の経路（折り用紙搬送路１２５）を経由して折り位置決め部１５０ｘ及び折り部１６０ｘへと入り、折り位置決め、折り処理され、折り用紙排出路１７０ｘを通って断裁機３００ｘへと搬送される。
【０００５】
この製本機１００ｘにおいては、折り処理が必要な場合（中綴じの場合）にはこの製本機１００ｘの後方に断裁機３００ｘを配置して折り処理により生じた冊子状の用紙の小口部分のずれを切り揃えることになるが、折り処理が不要な場合（平綴じ、肩綴じの場合）には断裁機３００ｘは不要であり、製本機１００ｘの最後段側（断裁機３００ｘ配置側）から、折り無し用紙排出器１９２に排出された積層用紙を取り出すことになる（例えば、特許文献１参照）。
【０００６】
【特許文献１】
特開平１０−２１２０６６号公報（図１）
【０００７】
【発明が解決しようとする課題】
上述した従来の製本機１００ｘは、ステッチャ部１４０ｘで綴じ処理が行われた後、折り処理が不要な積層用紙に対しては、昇降モータ１９１により中綴じストッパ１３６を積層用紙の通路から待避させてこの積層用紙を折り無し用紙排出器１９２へと排出させ、折り処理が必要な積層用紙に対しては、折り無し用紙排出器１９２とは別に、斜め下方へと延びる折り用紙搬送路１２５を経て、その延長方向に延びる折り位置決め部１５０ｘへと搬送されて折り位置決めされ（折り位置決め部１５０ｘ）、この折り位置決めされた部分を折りナイフで押し上げて折りローラ１６３ｘにくい込ませ、積層用紙を折りたたみ（折り部１６０ｘ）、折り用紙排出路１７０ｘを経由して断裁機３００ｘへと搬送し、断裁機３００ｘにて、折り処理で生じた冊子状の用紙の小口部分を切り揃えるようになっており、折り無し用紙排出器１９２に排出された折り処理が不要な積層用紙は、断裁機３００ｘ側から取り出す構成、構造となっているので、折り処理の要、不要によって断裁機３００ｘを連結したり切り離したりする作業が必要であり、そのための手間がかかって作業効率が低下する、という問題点や、断裁機３００ｘの移動や作業に必要な設置スペース及び作業スペースが必要となってスペース（床）の活用効率が低い、という問題点がある。
【０００８】
また、折り位置決め部１５０ｘ及び折り部１６０ｘが折り無し用紙排出器１９２の下方にあるために、折り位置の調整や紙詰まり処理などを行う場合に、この折り無し用紙排出器１９２を取り外してその処理を行わなければならず、やはり作業効率が低下する、という問題点がある。
【０００９】
本発明の目的は、上記従来技術の問題点に鑑みて、断裁機を連結したままの状態で折り処理不要な積層用紙を容易に取り出すことができ、かつ構成品の取り外しを行わなくても折り位置の調整や紙詰まり処理が容易にできて作業効率を向上させることができ、しかもスペースの有効活用、省スペース化ができる、製本機を提供することにある。
【００１０】
【課題を解決するための手段】
本発明の製本機は、積層された複数枚の用紙をその綴じ形態及び用紙サイズに応じて位置決めし綴じ処理を行い、この綴じ処理後に、折りが必要な綴じ形態の積層用紙に対してはその折り処理を行って冊子状とし、この冊子状の用紙を、その小口部分のずれを切り揃えるために断裁機へと引き渡す製本機であって、次の各構成を有することを特徴とする。
（イ）  綴じ処理済みの積層用紙を次の処理機構へと搬送する搬送路
（ロ）  前記搬送路により搬送されてきて折り処理が必要な積層用紙を、その前側の部分は前記搬送路の延長面内に保持し、その後側の部分は前記搬送路内に留まるように、折りストッパに前記積層用紙の先端辺部分を当接させて保持し、前記積層用紙の折りたたみ位置を位置決めする折り位置決め機構
（ハ）  前記折り位置決め機構で位置決めされた積層用紙の折り位置に折りナイフを当ててこの折り位置の部分を、前記積層用紙面に対し垂直上方に押し上げて折りローラにくい込ませ、この積層用紙の折り処理を行って冊子状とする折り部
（ニ）  前記折り部で折り処理された冊子状の用紙を前記断裁機へと引き渡す折り用紙排出路
（ホ）  前記折り用紙排出路の下方でかつ前記折り部の断裁機寄りの下のスペースに用紙収容器を備えて成り、前記搬送路により搬送されてきて折り処理不要な積層用紙を、前記搬送路の延長面から前記用紙収容器へと排出し、この用紙収容器に排出された積層用紙が装置前面側から取り出せる構造である折り無し用紙排出収容器構
【００１１】
また、前記折り無し用紙排出収容器構部分の前記断裁機側装置側面が、前記折り用紙排出路部分の前記断裁機側装置側面に対し同一面か装置内側寄りになるように配置された構造である構成を有している。
【００１２】
更に、前記折り無し用紙排出収容器構が、前記搬送路の延長面部位に配設されて折り処理不要な積層用紙を用紙収容器へと排出する排出ローラと、前記折り位置決め機構の折りストッパを、前記折り処理不要な積層用紙の前記用紙収容器への排出路から待避させる折りストッパ待避機構部と、を含んで構成される。
【００１３】
更にまた、前記折り位置決め機構の折りストッパが１つの軸のまわりに回動可能な構造であり、前記折り無し用紙排出収容器構の折りストッパ待避機構部が、カムを回転させることにより前記折りストッパを１つの軸のまわりに回動させてこの折りストッパを折り処理不要な積層用紙の用紙収容器への排出路から待避させる構造である構成を有している。
【００１４】
【発明の実施の形態】
本発明の一実施の形態は、積層された複数枚の用紙をその綴じ形態及び用紙サイズに応じて位置決めし綴じ処理を行い、この綴じ処理後に、折りが必要な綴じ形態の積層用紙に対してはその折り処理を行って冊子状とし、この冊子状の用紙を、その小口部分のずれを切り揃えるために断裁機へと引き渡す製本機であって、
綴じ処理済みの積層用紙を次の処理機構へと搬送する搬送路と、
上記搬送路により搬送されてきて折り処理が必要な積層用紙を、その前側の部分は上記搬送路の延長面内に保持し、その後側の部分は上記搬送路内に留まるように、折りストッパに上記積層用紙の先端辺部分を当接させて保持し、上記積層用紙の折りたたみ位置を位置決めする折り位置決め機構と、
上記折り位置決め機構で位置決めされた積層用紙の折り位置に折りナイフを当ててこの折り位置の部分を、上記積層用紙面に対し垂直上方に押し上げて折りローラにくい込ませ、この積層用紙の折り処理を行って冊子状とする折り部と、
上記折り部で折り処理された冊子状の用紙を上記断裁機へと引き渡す折り用紙排出路と、
上記折り用紙排出路の下方でかつ上記折り部の断裁機寄りの下のスペースに用紙収容器を備えて成り、上記搬送路により搬送されてきて折り処理不要な積層用紙を、上記搬送路の延長面から上記用紙収容器へと排出し、この用紙収容器に排出された積層用紙が装置前面側から取り出せる構造である折り無し用紙排出収容器構と、を有する構成、構造となっている。
【００１５】
このような構成、構造とすることにより、断裁機を連結したままの状態で折り処理不要で綴じ処理済みの積層用紙を装置前面側から容易に取り出すことができて、また、構成品の一部を取り外さなくても、折り位置の調整や紙詰まりの処理を容易に行うことができて作業効率を向上させることができ、しかも、断裁機の移動スペースや用紙の束の取り出しスペースも不要となるので、スペースの有効活用、省スペース化をはかることができる。
【００１６】
【実施例】
次に本発明の実施例について図面を参照して説明する。
図１は本発明の一実施例を示す装置全体の各部配置側面図、図２はその主要部分の拡大配置側面図、図３（ａ），（ｂ）はその積層用紙に対する折りたたみ動作手順を説明するための要部拡大配置側面図である。
この実施例の製本機１００は、用紙供給装置としての印刷機２００或いは図示されていない丁合機からの用紙を、入紙口１１０を通して、搬送ベルト１２１で形成された搬送路１２０に搬送し、まず、用紙積層位置決め部１３０において、その綴じストッパ１３１に用紙の先端部分を当接させてこれらを順次集積、積層すると同時に、平綴じ、肩綴じ、中綴じなどの綴じ形態、用紙サイズに応じて、ステッチャ部１４０に対し位置決め、すなわち、綴じ位置決めし、この位置決めされた積層用紙に対しステッチャ部１４０により綴じ処理を行う。
【００１７】
綴じ処理された積層用紙５００は、搬送路１２０で更に下流へ搬送される。この搬送路１２０の下流延長面内には、積層用紙５００の前側半分程度を保持することができるスペースを有する用紙保持路１６１が配置されており、この用紙保持路１６１の更に下流には、１つの軸のまわりに回動可能な折りストッパ１５６を含む折りストッパユニット１５５が配設されている。この折りストッパ１５６に積層用紙５００の先端辺部分を当接させ、一方、その後端辺部分を当接させて折り位置を位置決めする、バックストッパ１５２を含む用紙押し揃えユニット１５１が配設されていて、これらで折り位置決め部１５０を形成する。
【００１８】
搬送路１２０と用紙保持路１６１との間には、この間に入り込んで、搬送されてきた積層用紙５００の折り位置を押し上げ折りナイフ１６２と、この折りナイフ１６２で押し上げられた積層用紙５００をくわえ込んでこの積層用紙５００を折りたたみ、冊子状とする折りローラ１６３と、冊子状に折りたたまれた積層用紙５００に更に圧力を加え排出方向に搬送するプレスローラ１６４と、を備え、これら用紙保持路１６１からプレスローラ１６４までの機構により折り部１６０を形成する。
【００１９】
搬送されてきた積層用紙５００のうちの折り処理が必要なものに対しては、折り位置決め部１５０により、積層用紙５００の折り位置を位置決めし（一般的には中綴じの積層用紙の中綴じ部位となる）、その位置に折りナイフ１６２を当接させてこの折りナイフ１６２を上方に押し上げ、積層用紙５００を、対を成す折りローラ１６３間にくい込ませて折り処理を行って冊子状とする。そしてプレスローラ１６４で更に圧力が加えられて、装置最上段に配設された折り用紙排出路１７０へと引き渡され、この折り用紙排出路１７０により断裁機３００へと搬送、排出される。
【００２０】
一方、折り処理が不要な積層用紙５００のために、用紙保持路１６１の後端部分に、排出ソレノイド１８２により間隔が制御される、対を成す排出ローラ１８１が、また、折り用紙排出路１７０及び折りストッパユニット１５５の下方でかつ折り部１６０の後方下のスペースには用紙収容器１８３が配設されており、更に、折りストッパユニット１５５の部分には、この折りストッパユニット１５５を１つの軸のまわりに回動させるモータ１８５及びカム１８６から成る折りストッパ待避機構部１８４が設けられている。
【００２１】
そして、搬送路１２０で搬送されてきた折り処理が不要な積層用紙５００は、排出ソレノイド１８２の動作により排出ローラ１８１間にくわえ込まれて下流へと移送され、これと同時に折りストッパ待避機構部１８４の働きで折りストッパユニット１５５が上方へ回動して積層用紙５００の用紙収納器１８３への排出路が開放されて、この積層用紙５００は用紙収容器１８３へと排出、収容される。
【００２２】
この用紙収容器１８３は、装置前面側が開放状態となっていて、この用紙収容器１８３に排出、収容された積層用紙５００を、断裁機３００が連結されたままの状態で、この製本機１００の前面側から容易に取り出せるようになっている。
【００２３】
従って、折り処理が不要で綴じ処理済みの積層用紙の取り出しが、従来例では製本機の断裁機連結側となっていたために、連結されていた断裁機を製本機から切り離して移動させ、製本機・断裁機間に用紙取り出しのためのスペースを作らなければならなかったが、本発明ではその必要が無いので、そのための作業時間を省くことができて作業効率を大幅に向上させることができ、かつ単純、容易な作業とすることができ、また、装置の移動スペースも不要となるので、床面積も必要最低減で済んでスペースの有効活用、及び省スペース化がはかれる、という効果がある。  また、紙詰まりの処理も、この製本機１００の前面側等から容易に行うことができるので、その作業効率も向上させることができる。
【００２４】
なお、用紙収容器１８３は、積層用紙５００の排出方向前方が低くなるように傾斜しており、こうすることにより、積層用紙５００は整然と用紙収容器１８３に収容され、かつその断裁機３００側の側面を、この製本機１００自身の断裁機３００側の側面と同一面かそれより内側に配置することができて、省スペース化につながる。
【００２５】
また、用紙収容器１８３の上部に配設された用紙ガイド１８７も、積層用紙５００の跳ね上がりを防いで、これら積層用紙５００を整然と用紙収容器１８３へ収容、集積することができる。そして、上記各部（１８１〜１８７）により、折り無し用紙排出収容器構１８０を形成している。
【００２６】
更に、この製本機１００における各部の動作制御等は電気的回路によって行われるが、これらの電気的回路は図面上及び実施例の説明では省略されている。
【００２７】
【発明の効果】
以上説明したように本発明は、綴じ処理されて搬送路で搬送されてきた積層用紙に対し、折り処理が必要な積層用紙は、その搬送方向の前側の部分を搬送路延長面内に保持し、かつその後側の部分をこの搬送路に保持して折り位置を位置決めし、この位置決め、保持されている積層用紙の折り位置に折りナイフを当ててこの部分を積層用紙に対し垂直方向上方に押し上げて折りローラにくい込ませ、この積層用紙を冊子状に折りたたみ、折り用紙排出路を経由して断裁機へと排出し、折り処理が不要な積層用紙は、上記搬送路の延長面から、上記折り用紙排出路の下方でかつ折り部の断裁機寄りの下に設けられ、積層用紙が製本機前面側から取り出せる用紙収容器へと排出する構成、構造とすることにより、断裁機を連結したままの状態で用紙収容器に排出、収容された積層用紙を装置前面側から容易に取り出すことができ、従来例のように断裁機を移動させて製本機との間に用紙取り出しのためのスペースを確保する、作業及びスペースが不要となって作業効率の向上、省スペース化及びスペースの有効活用ができる、という効果があり、また、紙詰まりの処理も、製本機前面側から容易に行うことができるので、その作業効率も向上させることができる、という効果がある。
【図面の簡単な説明】
【図１】本発明の一実施例を示す装置全体の各部配置側面図である。
【図２】図１に示された実施例の主要部分の拡大配置側面図である。
【図３】図１及び図２に示された実施例における積層用紙の折りたたみ動作手順を説明するための要部拡大配置側面図である。
【図４】従来の製本機の一例を示す各部配置側面図である。
【符号の説明】
１００，１００ｘ  製本機
１１０，１１０ｘ  入紙口
１２０，１２０ｘ  搬送路
１３０，１３０ｘ  用紙積層位置決め部
１４０，１４０ｘ  ステッチャ部
１５０，１５０ｘ  折り位置決め部
１５５  折りストッパユニット
１５６，１５６ｘ  折りストッパ
１６０，１６０ｘ  折り部
１６１  用紙保持路
１６２，１６２ｘ  折りナイフ
１６３，１６３ｘ  折りローラ
１７０，１７０ｘ  折り用紙排出路
１８０  折り無し用紙排出収容器構
１８１  排出ローラ
１８２  排出ソレノイド
１８４  折りストッパ待避機構部
１８５  モータ
１８６  カム
１８７  用紙ガイド
１９０  折り無し用紙排出部
２００，２００ｘ  印刷機
３００，３００ｘ  断裁機
【図１】
2005022842.tif 000003
【図２】
2005022842.tif 000004
【図３】
2005022842.tif 000005
【図４】
2005022842.tif 000006